(57)【要約】  眼部撮像デバイス（３００）は、互いに移動可能に結合される眼底モジュール（２１０）とスリットランプモジュール（２２０）とを含む。眼底モジュール（２１０）は、照明モジュール（２３０）と撮像モジュール（２４０）とを含む。照明モジュール（２３０）は、第１の部分的にブロックされたビームをもたらすように適合される。撮像モジュール（２４０）は、穴を有する鏡（３２４）と対物レンズ（３２６）とを含んで、反射された第１の部分的にブロックされたビームおよび第２の部分的にブロックされたビームを作って、目の前部領域上にそれぞれ角膜照明ドーナツ（５０２）および瞳孔照明ドーナツ（５０４）を形成し、像平面（３４６）上に目の後部領域の画像を形成する。スリットランプモジュール（２２０）は、目の前部領域および後部領域の画像を見てキャプチャするように適合される。
2021518183.tif 000002
【特許請求の範囲】
【請求項１】
目の後部領域および前部領域を撮像するための眼部撮像デバイス（３００）であって、
眼底モジュール（２１０）であって、
照明軸（３１６）に沿った第１の部分的にブロックされたビームをもたらすように適合される照明モジュール（２３０）、および
撮像軸（３２８）に沿って位置合わせされる撮像モジュール（２４０）であって、前記撮像軸（３２８）が、前記照明軸（３１６）に対して垂直である、撮像モジュール（２４０）、
を備え、前記撮像モジュール（２４０）が、
穴を有する鏡（３２４）であって、前記鏡が、前記照明軸（３１６）に対して角度をもって配置され、前記第１の部分的にブロックされたビームが、前記鏡の第１の側に入射して、反射された第１の部分的にブロックされたビームおよび前記撮像軸（３２８）に沿った第２の部分的にブロックされたビームを作る、鏡（３２４）、
前記鏡（３２４）の前記第１の側から受け取った前記反射された第１の部分的にブロックされたビームおよび前記第２の部分的にブロックされたビームを合焦させて、前記目の角膜および瞳孔上にそれぞれ角膜照明ドーナツ（５０２）および瞳孔照明ドーナツ（５０４）を作り、像平面（３４６）上に前記目の前記後部領域の画像を形成するように適合される少なくとも１つの対物レンズ（３２６）、ならびに
前記目の前記後部領域の前記画像の見る焦点を調整するために、前記撮像軸（３２８）に沿った前記鏡の第２の側から離れた距離に配置される視度補正レンズ（３４４）、
を備える、眼底モジュール（２１０）と、
前記視度補正レンズ（３４４）を通して前記目の前記後部領域の前記画像を見てキャプチャするように適合されるスリットランプモジュール（２２０）であって、前記スリットランプモジュール（２２０）と前記眼底モジュール（２１０）とが互いに移動可能に結合される、スリットランプモジュール（２２０）と、
を備える、眼部撮像デバイス（３００）。
【請求項２】
前記照明モジュールが、
前記照明軸（３１６）に沿った入射ビームをもたらすための光源（３１２）と、
入射ビームを集光し、集光した入射ビームを発するために、前記光源（３１２）から離れた距離に配置されるコンデンサレンズ（３１４）と、
前記コンデンサレンズ（３１４）から離れた距離に配置される拡散器（３２０）であって、撮像期間に外来反射を減らすための光吸収体を含む、拡散器（３２０）と、
前記照明軸（３１６）に沿って前記集光した入射ビームを合焦させるための少なくとも１つの投影レンズシステム（３１８）と、
前記照明軸（３１６）に沿って前記第１の部分的にブロックされたビームをもたらすための、前記投影レンズシステムから離れた距離に配置される遮蔽体（３２２）と、
を備える、請求項１に記載の眼部撮像デバイス（３００）。
【請求項３】
前記角膜照明ドーナツ（５０２）および前記瞳孔照明ドーナツ（５０４）の各々が、外径を有する外円（６０２、６１２）と内径を有する内円（６０６、６１６）との間に形成される外部領域（６０４、６１０）、および前記内円（６０６、６１６）内に形成される内部領域（６０８、６１４）を有する、請求項１に記載の眼部撮像デバイス（３００）。
【請求項４】
前記角膜照明ドーナツ（５０２）が、前記投影レンズシステム（３１８）および前記遮蔽体（３２２）の画像に対応する、請求項３に記載の眼部撮像デバイス（３００）。
【請求項５】
前記瞳孔照明ドーナツ（５０４）が、前記鏡（３２４）および前記鏡（３２４）の前記穴の画像に対応する、請求項３に記載の眼部撮像デバイス（３００）。
【請求項６】
前記角膜照明ドーナツ（５０２）および前記瞳孔照明ドーナツ（５０４）が、それぞれ角膜面および瞳孔面上に形成され、前記角膜面と前記瞳孔面とが互いに平行である、請求項３に記載の眼部撮像デバイス（３００）。
【請求項７】
前記角膜照明ドーナツおよび前記瞳孔照明ドーナツの前記外部領域によって、光が前記目の前記後部領域に入射することを可能にする、請求項３に記載の眼部撮像デバイス（３００）。
【請求項８】
前記目の前記後部領域からの反射光が、前記角膜照明ドーナツおよび前記瞳孔照明ドーナツの前記内部領域（６０８、６１４）を通過し前記対物レンズ（３２６）を通って、前記撮像軸（３２８）上の前記像平面（３４６）上に前記目の前記後部領域の前記画像を形成する、請求項７に記載の眼部撮像デバイス（３００）。
【請求項９】
前記視度補正レンズ（３４４）が、前記見る焦点を調整して、前記像平面のシフト、前記スリットランプモジュール（２２０）および閲覧モジュール（２４５）が直線的に動く際の前記焦点の変化のうちの１つまたは複数を補償するように適合される、請求項１に記載の眼部撮像デバイス（３００）。
【請求項１０】
前記鏡（３２４）が、前記画像の単眼視のための単一の穴、または前記画像の両眼視のための２つの穴を有する、請求項１に記載の眼部撮像デバイス（３００）。
【請求項１１】
前記視度補正レンズ（３４４）が、一重レンズ、複数要素のレンズ、または、これらの組合せである、請求項１に記載の眼部撮像デバイス（３００）。
【請求項１２】
前記光源が、ＬＥＤ、ハロゲンランプ、およびレーザ光源のうちの１つである、請求項２に記載の眼部撮像デバイス（３００）。
【請求項１３】
前記目の前記前部領域を撮像するために、前記スリットランプモジュール（２２０）と前記眼底モジュール（２１０）とが移動可能に結合されて、前記眼底モジュール（２１０）がスリットランプ撮像軸から遠ざかって動くことを可能にし、前記スリットランプ撮像軸が、前記眼底モジュール（２１０）の前記撮像軸（３２８）に位置合わせされる、請求項１に記載の眼部撮像デバイス（３００）。
【請求項１４】
前記目の視野を変えるために、前記スリットランプモジュール（２２０）が、前記スリットランプ撮像軸に沿って直線的に動くように適合される、請求項１３に記載の眼部撮像デバイス（３００）。
【請求項１５】
前記スリットランプモジュール（２２０）が、
前記目の一部の画像に対応するビームが前記スリットランプモジュール（２２０）の中に入ることを可能にするコリメーティングレンズシステム（３３０）と、
前記ビームを２つの分割ビームへと分割するためのビームスプリッタ（３３２）であって、第１の分割ビームが、１つまたは複数の収束レンズ（３３６）および反射鏡（３３８ａ、３３８ｂ）の第１の組を介してアイピース（２５０）に進み、第２の分割ビームが、カメラレンズ（３４２）および反射鏡（３３８ｃ）の第２の組を介してカメラモジュール（２６０）に進む、ビームスプリッタ（３３２）と、
前記目の前記一部の前記画像を見るための前記アイピース（２５０）と、
前記目の前記一部の前記画像をキャプチャし、記録するための前記カメラモジュール（２６０）と、
を備える、請求項１に記載の眼部撮像デバイス（３００）。
【発明の詳細な説明】
【技術分野】
【０００１】
本明細書に記載される主題は、一般に、眼部撮像デバイスに関し、特に、目の後部領域および前部領域を撮像するための眼部撮像デバイスに関する。
【背景技術】
【０００２】
眼科学では、目は２つの主要な区分、すなわち、前部と後部とに分割される。前部とは、目の前面部分を指し、虹彩、結膜、およびレンズを含む。後部は、レンズの後ろの目の部分であり、網膜および様々な内層および神経を含む。一般的に、眼科の検査は、目の後部領域および前部領域を検査するために、スリットランプデバイスを使用する。スリットランプは、広いパターンから狭いスリットパターンに及ぶ、異なる照明レベルの使用を可能にする。狭いスリットパターンは、目の異なる部分を異なる画像に、明確に照明および分離するために使用することができる。
ため、同じ番号が図面を通して使用される。
【発明の概要】
【発明が解決しようとする課題】
【０００３】
現在では、医師は患者の両目を観察するために、スリットランプと共に追加の接眼レンズまたは非球面レンズを使用する。しかし、この方法では、画像が角膜および接眼レンズの反射アーティファクトを有するために、極端に小さい視野および貧弱な画質がもたらされる。したがって、将来の参照のために行われる検査の写真文書化を行うこと、すなわち、画像をキャプチャし保存することも可能ではない。
【課題を解決するための手段】
【０００４】
詳細な説明は、添付の図面を参照して記載される。図では、参照番号の最も左の数字によって、参照番号が最初に現れた図が識別される。同様の特徴および構成要素を参照する
【図面の簡単な説明】
【０００５】
【図１（ａ）】目の前部領域を撮像するために使用される従来型のスリットランプデバイスを示す図である。
【図１（ｂ）】目の後部領域を撮像するために、別個の接眼レンズと一緒に使用される従来型のスリットランプデバイスを示す図である。
【図２】本主題の一実装例による、例示的な眼部撮像デバイスのブロック図である。
【図３】本主題の一実装例による、例示的な眼部撮像デバイスを示す図である。
【図４（ａ）】本主題の一実施形態による、単眼視のための鏡を示す図である。
【図４（ｂ）】本主題の一実施形態による、両眼視のための鏡を示す図である。
【図５（ａ）】本主題の一実施形態による、目の角膜照明ドーナツを示す図である。
【図５（ｂ）】本主題の一実施形態による、目の瞳孔照明ドーナツを示す図である。
【図６】本主題の一実施形態による、角膜照明ドーナツおよび瞳孔照明ドーナツを示す正面図である。
【図７】本主題の一実施形態による、目の立体画像を作るための両眼用鏡と共に撮像軸を示す上面図である。
【発明を実施するための形態】
【０００６】
目を検査するための現在の技法は、一般的に、目の前部を観察および撮像するためにスリットランプデバイスを使用する。目の後部領域を検査するときは、患者の目の近くで、スリットランプデバイスの前に別個の接眼レンズが配置される。
【０００７】
図１（ａ）は、目の前部領域を撮像するために使用される従来型のスリットランプデバイスを示す。目は、一方の側１１０で、光源１５０を使用して照明される。目の前部領域の画像は、アイピース１２０を通した反対側で見る。コリメーティングレンズ１２６と収束レンズ１２８との間にビームスプリッタ１３０が配置される。ビームスプリッタ１３０は、反射ビームを２つの部分へと分割するのを可能にする。一方の部分は、カメラレンズ１３８を介しカメラ１４０を使用して、画像をキャプチャおよび記録するために使用される。第２の部分は、アイピース１２０上で画像を見るために使用される。図１（ｂ）は、目の後部領域を撮像するために、別個の接眼レンズ１６０と一緒に使用される従来型のスリットランプデバイスを示す。
【０００８】
しかし、後部領域を観察するために、追加のレンズおよびスリットランプデバイスを使用すると、約１５°の制限された視野だけが可能となる。さらに、目の前部領域および後部領域からの外来反射によって視野を広げることができず、このため、観察する画像は不明瞭である。得られる視野は、使用されるスリットランプ設定の撮像光学系によっても制限される。たとえば、短焦点距離の接眼レンズが使用される場合であってさえ、後部領域の視野を大きく広げることができない。というのは、スリットランプデバイスの光学系を変えることができないためである。加えて、目の前部領域および後部領域をそれぞれ撮像するために、スリットランプデバイスと追加の接眼レンズの形で、２つの別個のデバイスが必要である。
【０００９】
さらに、将来の参照のために、眼科の検査からの画像を記録することが可能であることが望ましい。しかし、このことは、角膜および接眼レンズの反射アーティファクトからもたらされる画像が低品質であることが理由で、現在のところ行われていない。
【００１０】
本主題は、外部レンズまたは外部のレンズの組合せを使用することがない、目の前部と後部の両方を撮像できる眼部撮像デバイスに関する。目の後部領域は、本デバイスを使用して、広い視野で見ることができる。本デバイスは、視野または明瞭さを失うことなく、最小のアーティファクトで、両方の領域に同じアイピースおよびカメラ配置を使用して検査した（前部または後部）領域の画像を同時に見てキャプチャすることにも役立つ。
【００１１】
以下は、添付図面を参照した、本主題の詳細な記載である。本記載は、単に、本主題の原理を説明していることに留意されたい。したがって、本明細書に明示的に記載されていないが、本主題の原理を具体化し、その範囲内に含まれる様々な配置構成を当業者なら考案できるであろうことが了解されよう。さらに、本明細書で言及されるすべての例は、読者が、本主題の原理を理解するのを助けることだけが意図される。さらに、本明細書で本主題の原理、態様、および実装形態、ならびにそれらの具体的な例を説明するすべての記述は、それらの等価形態を包含することが意図される。
【００１２】
図２は、本主題の一実装例による、眼部撮像デバイスのブロック図である。眼部撮像デバイスは、移動可能に一緒に結合される、眼底モジュール２１０およびスリットランプモジュール２２０を含む。結合は、直線移動ヒンジ、回転ヒンジなどといった、当技術分野で知られる任意の方法を使用して実現することができる。眼底モジュール２１０は、照明モジュール２３０および撮像モジュール２４０を含む。撮像モジュール２４０は、スリットランプモジュール２２０に結合され、その結果、目の後部領域および前部領域の撮像は、単一の眼部撮像デバイスを使用して行われ、それを、閲覧モジュール２４５を使用して観察することができる。閲覧モジュール２４５は、アイピース２５０およびカメラモジュール２６０を含むことができる。アイピース２５０を介して画像を見ることができ、同時に、カメラモジュール２６０を使用して画像を記録およびキャプチャすることができ、将来の参照のために、医者が見た画像を記録することを可能にする。
【００１３】
図３は、本主題の一実装例による、例示的な眼部撮像デバイスを描く。眼部撮像デバイス３００は、眼底モジュール２１０およびスリットランプモジュール２２０を含む。眼底モジュール２１０とスリットランプモジュール２２０は、移動可能に一緒に結合される。結合は、直線移動ヒンジ、回転ヒンジなどといった、当技術分野で知られる任意の方法を使用して実現することができる。眼底モジュール２１０は、照明モジュール２３０および撮像モジュール２４０を含む。
【００１４】
照明モジュール２３０は、光源３１２を含む。光源３１２は、ＬＥＤ、ハロゲンランプ、およびレーザ光源、または当技術分野で知られる任意の他の光源のうちの１つであってよい。照明軸３１６に沿って、光源３１２から離れた距離に、コンデンサレンズ３１４が光源３１２の前に配置される。コンデンサレンズ３１４は、光源３１２から発した光を集光し、集光ビームをもたらす。集光ビームは、投影レンズシステム３１８を使用して合焦され、照明軸３１６に沿った合焦ビームをもたらす。拡散器３２０も光源の後に配置することができる。一例では、拡散器は、コンデンサレンズ３１４と投影レンズシステム３１８との間に配置される。拡散器３２０は、光吸収体を含むことができる。一例では、光吸収体は、拡散器３２０上に配置される黒点である。光吸収体は、撮像のときに、目からの外来反射を減らすことに役立つ。
【００１５】
照明モジュール２３０は、照明軸３１６に沿って、投影レンズシステム３１８から離れた距離に配置される遮蔽体３２２を含む。遮蔽体３２２は、投影レンズシステム３１８から発した光の一部をブロックし、撮像モジュール２４０の撮像軸３２８上に第１の部分的にブロックされたビームをもたらす。
【００１６】
撮像モジュール２４０は、撮像軸３２８に沿った、鏡３２４、視度補正レンズ３４４、および少なくとも１つの対物レンズ３２６を備え、撮像軸３２８は、照明軸３１６に対して垂直である。本
主題の１つの実施形態では、鏡３２４は、閲覧モジュール２４５を介した単眼視または一眼視のための１つの穴を有する。本明細書で使用する、単眼および一眼という用語は、互換的に使用される。別の実施形態では、鏡３２４は、閲覧モジュール２４５を介した両眼視または立体視のための２つの穴を有する。本明細書で使用する、両眼および立体という用語は、互換的に使用される。鏡３２４は、照明軸３１６に対して角度をもって配置される。一例では、角度は、眼部撮像デバイス（３００）の設計にしたがって、変えることができる。
【００１７】
照明モジュール２３０からの第１の部分的にブロックされたビームが、鏡３２４の第１の側に入射して、反射して、反射された第１の部分的にブロックされたビームと、撮像軸３２８に沿った第２の部分的にブロックされたビームとを作る。反射された第１の部分的にブロックされたビームと、第２の部分的にブロックされたビームは、それぞれ、角膜照明ドーナツと瞳孔照明ドーナツを形成する。角膜照明ドーナツは、角膜面上に形成され、これは目の前部領域上にある。瞳孔照明ドーナツは、瞳孔面上に形成され、これも目の前部領域上にある。角膜照明ドーナツは、遮蔽体３２２の存在により、鏡３２４からの第１の部分的にブロックされたビームの反射が理由で形成される。瞳孔照明ドーナツは、鏡３２４からの光の反射および鏡の穴により形成される。このようにして、角膜照明ドーナツは、投影レンズシステム３１８および遮蔽体３２２の画像に対応する。瞳孔照明ドーナツは、鏡３２４および鏡３２４の穴の画像に対応する。遮蔽体３２２と鏡３２４は、光源３１２から異なる距離にあるために、反射された第１の部分的にブロックされたビームと、第２の部分的にブロックされたビームによって形成される画像は、２つの異なる平行な面に形成される。
【００１８】
一実施形態では、目の後部領域の一眼画像を見るため、眼部撮像デバイス３００中で、単一の穴を有する鏡３２４が使用される。２つの穴を有する鏡３２４が使用される場合、図７を参照して下で説明されるように、目の後部領域の立体画像を観察することができる。
【００１９】
角膜照明ドーナツおよび瞳孔照明ドーナツは、対物レンズ３２６を通して目に投影される。角膜照明ドーナツおよび瞳孔照明ドーナツは、目の２つの平行な面、すなわち角膜面および瞳孔面上に形成される。角膜および瞳孔照明ドーナツは、外円と内円との間に形成される外部領域、および内円の内部に形成される内部領域を有する。角膜および瞳孔照明ドーナツは、図６を参照して下で説明される。
【００２０】
角膜および瞳孔照明ドーナツの両方の外部領域によって、光が目の後部領域に入射することが可能になる。目の後部領域は、網膜、中心窩、脈絡膜などを含む。さらに、光が目の後部領域に一度当たると、目の後部領域からの反射光が、角膜および瞳孔照明ドーナツの内部領域を通って対物レンズ３２６に進み、像平面３４６上に画像を形成する。像平面３４６上に形成される画像は、目の後部領域の画像である。対物レンズ３２６と検査する目との間の距離を変えて、照明軸３１６に沿った像平面３４６の視野および位置を決定することができる。
【００２１】
対物レンズ３２６は、目と視度補正レンズ３４４との間に配置される。一例では、対物レンズ３２６は、外来反射を減らすのに役立つことができる光吸収体を含むことができる。光吸収体は、黒点の形であってよい。視度補正レンズ３４４によって、閲覧モジュール２４５を使用して見るとき、像平面３４６上に形成される画像の見る焦点を変えることが可能になる。視度補正レンズ３４４は、目の後部画像の見る焦点を調整するために、鏡３２４の第１の側の反対の、鏡３２４の第２の側から離れた距離に配置される。視度補正レンズ３４４は、目の焦点を変えることに基づいて、および閲覧モジュール２４５に基づいて、見る焦点を調整するように適合される。たとえば、眼底モジュール２１０からの入射光が、近視または遠視がある目の後部領域上に当たると、後部領域の画像が異なる位置に形成される場合があり、その結果、撮像軸３２８上の像平面３４６の位置は、正常な目の像平面３４６の位置と比較して異なる。さらに、疾患がある目の場合の画像は、撮像軸３２８の上または下にシフトする場合がある。この場合、視度補正レンズ３４４は、目の後部領域の画像を見るために、画像の偏差に基づいて、見る焦点を調整する。調整は、手動または自動で行うことができる。
【００２２】
一実施形態では、視度補正レンズ３４４は、スリットランプモジュール２２０中のアイピースに、目の後部領域の画像の拡大した視野をもたらすように適合される、一重レンズまたは複数要素のレンズの組合せであってよい。
【００２３】
眼部撮像デバイス３００は、スリットランプモジュール２２０をさらに含む。スリットランプモジュール２２０は、目の後部領域または前部領域の画像を見てキャプチャするのを可能にするためのコリメーティングレンズシステム３３０を含む。スリットランプモジュール２２０は、目の一部（前部または後部）の画像に対応する光を２つの分割ビームへと分割するビームスプリッタ３３２をさらに含む。目の一部の画像の第１の分割ビームは、画像を見るために、１つまたは複数の収束レンズ３３６および反射鏡３３８ａおよび３３８ｂの第１の組を介して、閲覧モジュール２４５のアイピース２５０に進む。目の一部の画像の第２の分割ビームは、画像をキャプチャして記録するために、カメラレンズ３４２および反射鏡３３８ｃの第２の組を介してカメラモジュール２６０に進む。モバイルフォンカメラ、デジタルカメラ、ＤＳＬＲ、などといった、任意のカメラをカメラモジュール中で使用できることを理解されよう。コリメーティングレンズ３３０、ビームスプリッタ３３２、および収束レンズの組が配置される軸は、スリットランプ撮像軸とも呼ばれる。スリットランプ撮像軸は、眼底モジュール２１０の撮像軸３２８に位置合わせされる。
【００２４】
さらに、スリットランプモジュール２２０は、撮像軸３２８に沿って、目に向かって、または目から遠ざかって動くことができる。スリットランプモジュール２２０の直線的な動きによって、目に向かって、または目から遠ざかって動くことによって、それぞれ、目の視野を広げること、または狭めることができる。スリットランプモジュールの直線的な動きは、見る焦点を変えることができる。視度補正レンズ３４４は、ここで、見る焦点を調整して、スリットランプモジュール２２０が直線的に動く際の焦点の変化を補償することができる。
【００２５】
眼底モジュール２１０は、スリットランプモジュール２２０に移動可能に結合されており、眼底モジュール２１０は、目の前部領域を撮像するのを可能にするために、スリットランプ撮像軸から遠ざかって動くことができる。一例では、眼底モジュール２１０を回転して、スリットランプモジュール２２０の上に配置することができる。別の例では、眼底モジュール２１０を回転して、スリットランプモジュール２２０から直線的に遠ざけることができる。
【００２６】
こうして、動作時に、目の後部領域の画像を見てキャプチャするために、眼底モジュール２１０とスリットランプモジュール２２０を直列に位置合わせして、一緒に使用することができ、一方、前部領域の画像を見てキャプチャするために、スリットランプモジュール２２０を単独で使用することができる。前部領域の画像を見てキャプチャするために、スリットランプモジュール２２０と共に別個の照明源を使用することができ、この場合、スリットランプモジュール２２０は、図１（ａ）を参照して以前に議論したような従来型デバイス中のように働くことができる。
【００２７】
図４（ａ）は、本主題の一実施形態による、単眼用鏡を示し、図４（ｂ）は、両眼用鏡を示す。単眼または一眼用鏡４１０は、単眼用アイピースを使用して目の画像を見るために単一の穴を有する鏡である。両眼用鏡４２０は、両眼用アイピースを使用して目の画像を見るために２つの穴を有する鏡である。単眼または両眼用鏡は、撮像軸３２８に沿って、眼底モジュール２１０の照明モジュール２３０に対して角度をもって配置される。一例では、鏡３２４は、撮像軸３２８に対して４５°の角度で配置することができる。他の例では、角度を変えることができる。
【００２８】
図５（ａ）は、本主題の一実施形態にしたがって、目に投影された角膜照明ドーナツを示す。図５（ａ）に示されるように、照明モジュール２３０の遮蔽体３２２は、投影レンズシステム３１８（図示せず）から発した光の一部をブロックし、照明モジュール２３０の照明軸３１６上に第１の部分的にブロックされたビームをもたらす。第１の部分的にブロックされたビームが、鏡３２４の第１の側に入射して、撮像軸３２８に沿った反射された第１の部分的にブロックされたビーム５００を作り、角膜照明ドーナツ５０２を形成する。一例では、角膜照明ドーナツ５０２は、遮蔽体３２２のために形成される像である。さらに、角膜照明ドーナツ５０２は、対物レンズ３２６を通して目に投影される。角膜照明ドーナツ５０２は、目の前部領域上にある角膜に合焦されるように形成される。
【００２９】
図５（ｂ）は、本主題の一実施形態による、目に投影された瞳孔照明ドーナツを示す。図５（ｂ）に示されるように、照明モジュール２３０からの第１の部分的にブロックされたビームが、鏡３２４の第１の側に入射して、第２の部分的にブロックされたビーム５０６を作り、これら両方が撮像軸３２８に沿っている。第２の部分的にブロックされたビーム５０６は、撮像軸３２８上に瞳孔照明ドーナツ５０４を形成する。一例では、瞳孔照明ドーナツ５０４は、鏡３２４のために瞳孔上に形成される像である。瞳孔照明ドーナツ５０４は、対物レンズ３２６を通して目に投影される。瞳孔照明ドーナツ５０４は、目の前部領域上の、瞳孔に合焦されるように形成される。図５（ａ）に示されるような角膜照明ドーナツ５０２および瞳孔照明ドーナツ５０４は、前で説明したように、目の２つの平行な面、すなわち、角膜面および瞳孔面上に形成される。
【００３０】
図６は、本主題の一実施形態による、角膜照明ドーナツおよび瞳孔照明ドーナツの正面図を示す。角膜照明ドーナツ５０２の正面図は、外径を有する外円６０２の間に形成される外部領域６０４、および内径を有する内円６０６の間に形成される内部領域６０８を含む。投影レンズシステム３１８（図示せず）の外径と照明モジュール２３０の遮蔽体３２２の外のり寸法によって、それぞれ、角膜照明ドーナツの外部領域６０４と内部領域６０８が形成される。
【００３１】
同様に、瞳孔照明ドーナツ５０４の正面図は、外径を有する外円６１２の間に形成される外部領域６１０、および内径を有する内円６１６の間に形成される内部領域６１４を含む。鏡３２４の外のり寸法と鏡３２４の穴の外径によって、それぞれ、瞳孔照明ドーナツ５０４の外部領域６１０と内部領域６１４が形成される。角膜照明ドーナツ５０２および瞳孔照明ドーナツ５０４のサイズは、投影レンズシステム３１８、遮蔽体３２２、鏡３２４のそれぞれの寸法、および穴のサイズを変化させることによって変えることができる。
【００３２】
図７は、本主題の一実施形態による、目の立体画像を作るための両眼用鏡４２０を備える撮像軸の上面図を示す。一例では、両眼用鏡４２０は、目の後部領域の立体画像を見るために、眼部撮像デバイス３００中で使用される。立体画像は、閲覧モジュール２４５のアイピース２５０によって、コリメーティングレンズ３３０および収束レンズ３３６を介して見ることができる。
【００３３】
本主題の眼部デバイス３００は、５０°などといった、広い視野を有する画像をキャプチャするために使用することができ、散瞳状態および無散瞳状態での静止画像およびビデオ画像を得ることができる。撮像は、必要に応じて、目の前部領域または後部領域に好都合に切り換えることができる。一実施形態では、目の前部領域は、眼底モジュール２１０を撮像軸３２８から動かすことによって、スリットランプモジュール２２０を介して撮像することができる。
【００３４】
このようにして、本主題の眼部撮像デバイス３００は、目の前部および後部撮像の両方を可能にするモジュール型設計を有する。さらに、デバイスによって、文書化および将来参照するためにカメラを使用して画像をキャプチャおよび記憶することが可能になる。
【００３５】
眼部撮像デバイスについての実施形態は構造上の特徴に特有の言葉で記載されているが、本主題は、記載された特定の特徴に必ずしも限定されないことを理解されたい。むしろ、特定の特徴は、本主題を実装するための例示的な実施形態として開示される。
【符号の説明】
【００３６】
１１０  一方の側
１２０  アイピース
１２６  コリメーティングレンズ
１２８  収束レンズ
１３０  ビームスプリッタ
１３８  カメラレンズ
１４０  カメラ
１５０  光源
１６０  接眼レンズ
２１０  眼底モジュール
２２０  スリットランプモジュール
２３０  照明モジュール
２４０  撮像モジュール
２４５  閲覧モジュール
２５０  アイピース
２６０  カメラモジュール
３００  眼部撮像デバイス
３１２  光源
３１４  コンデンサレンズ
３１６  照明軸
３１８  投影レンズシステム
３２０  拡散器
３２２  遮蔽体
３２４  鏡
３２６  対物レンズ
３２８  撮像軸
３３０  コリメーティングレンズシステム
３３２  ビームスプリッタ
３３６  収束レンズ
３３８ａ  反射鏡
３３８ｂ  反射鏡
３３８ｃ  反射鏡
３４２  カメラレンズ
３４４  視度補正レンズ
３４６  像平面
４１０  単眼または一眼用鏡
４２０  両眼用鏡
５００  反射された第１の部分的にブロックされたビーム
５０２  角膜照明ドーナツ
５０４  瞳孔照明ドーナツ
５０６  第２の部分的にブロックされたビーム
６０２  外円
６０４  外部領域
６０６  内円
６０８  内部領域
６１０  外部領域
６１２  外円
６１４  内部領域
６１６  内円
【図１（ａ）】
2021518183.tif 000003
【図１（ｂ）】
2021518183.tif 000004
【図２】
2021518183.tif 000005
【図３】
2021518183.tif 000006
【図４（ａ）】
2021518183.tif 000007
【図４（ｂ）】
2021518183.tif 000008
【図５（ａ）】
2021518183.tif 000009
【図５（ｂ）】
2021518183.tif 000010
【図６】
2021518183.tif 000011
【図７】
2021518183.tif 000012
【国際調査報告】
2021518183.tif 000013